(57)【要約】【課題】  メンテナンスの頻度を減少することができ、照明対象を暖色系あるいは寒色系などの色を用いて照明することができる自動販売機用照明装置および自動販売機を提供する。【解決手段】  照明装置４０は、図示しない電源スイッチがオンになると、照明装置４０に電源が供給され、ＬＥＤランプ４３が点灯する。ＬＥＤランプ４３の発光光は、入光面４１ａから導光部材４１内に入射され、導光部材４１中を反射しながら進行する。進行した光は、Ｖ溝４７の斜面４７ａにより進行方向を変えられて乱反射光となり、発光面４１ｅの全面から出射する。【選択図】    図３
2005142032.tif 000002
【特許請求の範囲】
【請求項１】
一端面に入射された光を複数の側面で全反射させつつ他端面側に伝播させる透明または半透明の導光部材と、
前記導光部材の前記一端面に前記光を入射するＬＥＤ光源と、
前記導光部材の前記複数の側面のうち少なくとも１つの側面に形成され、前記ＬＥＤ光源から入射された前記光を受けて反射光を発生させ、その反射光を前記複数の側面のうち前記少なくとも１つの側面以外の側面から外部に放射させる反射部とを備えたことを特徴とする自動販売機用照明装置。
【請求項２】
前記ＬＥＤ光源は、赤色，緑色および青色等の単色系ＬＥＤランプ、白色系ＬＥＤランプ、あるいは赤色系ＬＥＤ素子，緑色系ＬＥＤ素子および青色系ＬＥＤ素子を備えたＲＧＢＬＥＤランプであることを特徴とする請求項２記載の自動販売機用照明装置。
【請求項３】
前記導光部材は、前記一端面とともに前記他端面を前記光の導入面とし、
前記導光部材の前記他端面に前記光を入射する他のＬＥＤ光源を備えたことを特徴とする請求項１記載の自動販売機用照明装置。
【請求項４】
前記導光部材は、前記ＬＥＤ光源から遠くなるにしたがって厚さが薄くなるように形成することを特徴とする請求項１記載の自動販売機用照明装置。
【請求項５】
前記反射部は、前記少なくとも１つの側面に形成され、深さあるいはピッチの異なる複数の溝を備えたことを特徴とする請求項１記載の自動販売機用照明装置。
【請求項６】
前記反射部は、前記ＬＥＤ光源から遠くなるにしたがってピッチの異なる複数の点状の反射部材により形成することを特徴とする請求項１記載の自動販売機用照明装置。
【請求項７】
前記反射部は、前記少なくとも１つの側面に形成するランダムな凹凸部からなることを特徴とする請求項１記載の自動販売機用照明装置。
【請求項８】
前記導光部材は、商品見本の近傍に設けられ、前記反射光によって前記商品見本を照明することを特徴とする請求項１記載の自動販売機用照明装置。
【請求項９】
前記ＬＥＤ光源は、釣銭発生信号に同期して点灯し、
前記導光部材は、釣銭返却口に設けられたことを特徴とする請求項１記載の自動販売機用照明装置。
【請求項１０】
前記ＬＥＤ光源は、商品排出信号に同期して点灯し、
前記導光部材は、商品販売口に設けられたことを特徴とする請求項１記載の自動販売機用照明装置。
【請求項１１】
前面に設けられた透明パネルと、前記透明パネルと所定の間隔を置いて平行に配置された背面パネルとによって形成された商品展示スペースを有した自動販売機において、
前記背面パネルとしての導光板と、
前記導光板に光を入射させて前記導光板を照明パネルとして発光させる光源を備えたことを特徴とする自動販売機。
【発明の詳細な説明】
【技術分野】
【０００１】
本発明は、自動販売機用照明装置および自動販売機に関し、特に、メンテナンスの頻度を減少することができ、照明対象を暖色系あるいは寒色系などの色を用いて照明することができる自動販売機用照明装置および自動販売機に関する。
【背景技術】
【０００２】
商店の入り口近傍、歩道際等に設置される自動販売機は、販売する缶飲料等のサンプル、写真等を展示する展示スペースを正面の見やすい位置に設けている。そして、夜間には、蛍光灯を点灯してサンプルや写真を照明し、自動販売機が設置されていること、及び販売品の内容を利用者に知ってもらえるように工夫している（例えば、特許文献１参照。）。
【０００３】
図１２は、従来の自動販売機の一例を示す。自動販売機１は、コーヒー、コーラ、ジュース、ウーロン茶等の多種類の飲料を硬貨や紙幣の投入に応じて自動販売するものであり、内部に多数の商品をストックしている。自動販売機１は、略箱型状の自動販売機本体２を筐体とし、この自動販売機本体２の前面には正面パネルとなる主扉３が設けられている。この主扉３は、自動販売機本体２の前面に蝶着されているために開閉でき、サンプルの交換、商品の補充、商品の入れ替え等の時に開閉される。
【０００４】
主扉３は、前面カバーとしての透明パネル３１が設けられており、この内側に展示スペース３２が確保されている。展示スペース３２には、サンプル台３３が上下方向に３段に設けられており、各サンプル台３３上に商品見本としての複数のサンプル４が載置されている。各サンプル台３３の上方には、サンプル４に光を照射する蛍光灯３４が配置され、その光が利用者の目に入らないように反射カバー３５が設けられている。
【０００５】
サンプル台３３の前面には、ＣＯＬＤ、ＨＯＴ等の商品の種類や価格等を表示したサブパネル５が設けられ、透明パネル３１の表面には、商品を選択する選択ボタン６が設けられている。また、主扉３には、紙幣を挿入する紙幣挿入口７、硬貨を投入する硬貨投入口８、挿入した紙幣や投入した硬貨を返却する返却レバー９、釣銭を返却する釣銭返却口１０、釣銭切れや投入金額等の表示を行う表示器１１、商品を取り出すための商品販売口１２、及び施錠により主扉３の開動作をロックするドアロック１３が配設されている。
【０００６】
サンプル４は、半透明の樹脂材を用いて成形加工により実際の商品に準じた外観及びサイズに作られており、実際の商品に似せた円筒型や奥行きを小さくした略半円筒形にしている。そして、その表面には、販売する商品と同じ表記及び配色による印刷またはラベルの貼付が施されている。サンプル４の使用材料を半透明にすることで、光の影が生じにくくなり、個々のサンプル４の全体を見やすくすることができる。サンプル４の上方には、直管タイプの昼光色又は白色の蛍光灯３４が横方向に取り付けられており、周囲が暗いときに点灯し、展示スペース３２内を明るく照明するとともに、サンプル４をも照明する。なお、蛍光灯３４は、図１２では、１本だけ見えるように描いているが、各サンプル台３３の下方に設けている。
【特許文献１】特開２００３−２２８７５６号公報（図７）
【発明の開示】
【発明が解決しようとする課題】
【０００７】
しかし、従来の自動販売機によると、展示スペースを蛍光灯により照明しているため、寿命を考慮して１年に１回以上、蛍光灯の交換作業等のメンテナンス作業が必要であった。
【０００８】
また、蛍光灯は、白色に近い発光色であるため、カラーフィルタ等を使用しないと発光色を変えることができないので、照明対象を蛍光灯の照明のみで暖色系あるいは寒色系で統一して照明することが困難であった。
【０００９】
従って、本発明の目的は、メンテナンスの頻度を減少することができ、カラーフィルタ等を使用しないでも照明対象を暖色系あるいは寒色系などの色を用いて照明することができる自動販売機用照明装置および自動販売機を提供することにある。
【課題を解決するための手段】
【００１０】
本発明は、上記目的を達成するため、一端面に入射された光を複数の側面で全反射させつつ他端面側に伝播させる透明または半透明の導光部材と、前記導光部材の前記一端面に前記光を入射するＬＥＤ光源と、前記導光部材の前記複数の側面のうち少なくとも１つの側面に形成され、前記ＬＥＤ光源から入射された前記光を受けて反射光を発生させ、その反射光を前記複数の側面のうち前記少なくとも１つの側面以外の側面から外部に放射させる反射部とを備えたことを特徴とする自動販売機用照明装置を提供する。
【００１１】
この構成によれば、入射された光が複数の側面を反射しながら進行する際に、反射部で発生させられた反射光は、反射部が存在しない方の側面から外部に放射する。
【００１２】
以上の構成において、ＬＥＤ光源は、ランプ状のものおよびチップ状のものの両者を含むものとする。
【００１３】
本発明は、上記目的を達成するため、前面に設けられた透明パネルと、前記透明パネルと所定の間隔を置いて平行に配置された背面パネルとによって形成された商品展示スペースを有した自動販売機において、前記背面パネルとしての導光板と、前記導光板に光を入射させて前記導光板を照明パネルとして発光させる光源を備えたことを特徴とする自動販売機を提供する。
【００１４】
この構成によれば、背面パネルとしての導光板を照明パネルとして使用するため、背面パネル全体が発光する。
【発明の効果】
【００１５】
本発明によれば、導光部材の側面に形成された反射部が面光源となるので、光源として蛍光灯の代りにＬＥＤ光源を用いることができる。また、ＬＥＤ光源の寿命が長く、半永久的に使用することができるので、メンテナンスの頻度を減少することができる。
【００１６】
さらに、単色発光のＬＥＤ光源を異なる色を発光するＬＥＤ光源と交換することにより、暖色系あるいは寒色系などの色を用いて照明することができる。
【発明を実施するための最良の形態】
【００１７】
図１は、本発明の第１の実施の形態に係る照明装置を適用した自動販売機を示す。この自動販売機１は、コーヒー、コーラ、ジュース、ウーロン茶等の多種類の飲料を硬貨や紙幣の投入に応じて自動販売するものであり、内部に多数の商品をストックしている。自動販売機１は、略箱型状の自動販売機本体２と、この自動販売機本体２の前面カバーとしての透明パネル３１の内側に展示スペース３２が確保されている主扉３を備える。
【００１８】
主扉３は、自動販売機本体２の前面に蝶着されているために開閉でき、サンプル４の交換、商品の補充、商品の入れ替え等のときに開閉される。この主扉３は、紙幣および硬貨を投入する料金投入口７Ａと、釣銭を返却する釣銭返却口１０と、商品を取り出すための商品販売口１２と、広告などを表示する電照板１５とを備える。
【００１９】
展示スペース３２には、サンプル４を載置するサンプル台１６が３段設けられている。このサンプル台１６の前面には、ＣＯＬＤ、ＨＯＴ等の商品の種類や価格等を表示したサブパネル５が設けられ、透明パネル３１の表面には、商品を選択する選択ボタン６が設けられている。展示スペース３２の奥には、展示スペース３２内を照明する照明装置４０を備える。
【００２０】
図２は、照明装置４０の正面図を示す。この照明装置４０は、アクリル板やガラス板からなる導光部材４１と、図示しない光源として基板に搭載された複数のＬＥＤランプと、導光部材４１の端部に設けられ、基板に搭載された複数のＬＥＤランプを収容するＬＥＤケース４２とを備える。
【００２１】
図３は、図２のＡ−Ａ線に沿う断面を示し、図４は、照明装置４０の分解斜視図を示す。導光部材４１は、光の進行方向に沿って一部の側面に、入射したＬＥＤランプ４３の光の反射光、特に乱反射光を発生する反射部であるＶ溝４７が形成され、そのＶ溝４７が形成された面上に反射シート４６が貼着されている。ＬＥＤランプ４３に近い部位にあるＶ溝４７の溝の深さは浅く、ＬＥＤランプ４３から遠ざかる部位にあるＶ溝４７の溝の深さを深く形成してある。導光部材４１は、その上下縁をＬＥＤランプ４３の発光光を入射する入光面４１ａを備える。
【００２２】
反射シート４６は、高反射率の白色のプラスチックシートを用いる。反射シート４６と導光部材４１できるだけ密着させることが望ましい。なお、反射シート４６は、反射鏡を用いてもよい。また、導光部材４１に高反射率の塗料を使用しているものにあっては、反射シートは不要である。
【００２３】
ＬＥＤランプ４３は、基板４４上に搭載され、リード４５を介して基板４４から電源を得るようになっている。導光部材４１の相対する一端面に、基板４４上に搭載されたＬＥＤランプ４３を収納するＬＥＤケース４２が取り付けられる。ＬＥＤランプ４３の出射端が入光面４１ａに近接して設けられている。ＬＥＤランプの発光色は、例えば、白色のものも使用する。
【００２４】
照明装置４０は、導光部材４１と、導光部材４１の上下の入光面４１ａにＬＥＤランプ４３の出射端が位置するように基板４４を配置し、基板４４および導光部材４１の一部を覆うようにＬＥＤケース４２を被せたものである。
【００２５】
次に、本実施の形態の動作を説明する。図示しない電源スイッチがオンになると、加温装置あるいは冷却装置が作動して商品を暖め、あるいは冷却する。また、照明装置４０により展示スペース３２内が照明される。また、選択ボタン６やサブパネル５の所定の表示のためにＬＥＤランプの点灯や所定の表示がなされる。また、広告などを表示する電照板１５が照明される。
【００２６】
ここで、照明装置４０についていえば、図示しない電源スイッチがオンになると、照明装置４０に電源が供給され、ＬＥＤランプ４３が点灯する。ＬＥＤランプ４３の発光光は、入光面４１ａから導光部材４１に入射され、導光部材４１中を反射しながら進行する。進行した光は、Ｖ溝４７の斜面４７ａにより進行方向を変えられて乱反射光となり、発光面４１ｅの全面から出射する。ここで矢印は、光の進行方向を示す。
【００２７】
本発明の第１の実施の形態によれば、下記の効果を奏することができる。
（イ）ＬＥＤランプ４３に近い部位では光量が多いので乱反射率を抑えるためＶ溝４７の溝の深さは浅く、ＬＥＤランプ４３から遠ざかる部位では光量が少ないので乱反射率を高くするためＶ溝４７の溝の深さを深く形成してあるため、発光面４１ｅの全面から光が均一に出射するので、展示スペース３２全体を明るく照明することができる。
（ロ）光源にＬＥＤランプ４３を使用したため、蛍光灯と比べてランプの寿命が飛躍的に延びるので、ランプ交換に伴うメンテナンス費用を低減することができる。また、消費電力を低減でき、自動販売機１のランニングコストを下げることができる。
（ハ）また、ＬＥＤランプ４３の発光色を変えたり、組み合わせたりすることにより、種々の色の光を利用することができるため、照明対象を種々の態様で照明することにより、広告効果を一層高めることができる。例えば、夏には、冷たいイメージとなる水色や青色の発光色によりサンプル等を照明し、冬には、温かいイメージとなる黄色や橙色の発光色によりサンプル等を照明することで、季節感を出すことができる。
（ニ）ＬＥＤランプ４３は、基板４４に搭載されているため、照明装置４０への組み付けが容易となる。
（ホ）反射シート４６と導光部材４１とをできるだけ密着させることにより、反射効率を高め、導光部材４１から外部へ出射される光量を増加させることができる。
【００２８】
図５は、本発明の第２の実施の形態に係る照明装置の一部を示す。この照明装置４０は、導光部材４１の入光面４１ａに曲面部４１ｂを形成し、この曲面部４１ｂからＬＥＤランプ４３の発光光を入射するものである。
【００２９】
この第２の実施の形態によれば、曲面部４１ｂによりＬＥＤランプ４３の入射光が分散されるため、導光部材４１により展示スペース３２全体を明るく照明することができる。
【００３０】
図６は、本発明の第３の実施の形態に係る照明装置の導光部材を示す。この導光部材４１は、形成したＶ溝４７が全て同一断面形状であって、入光面４１ａから近い部位にあるＶ溝４７間のピッチｐを広く、入光面４１ａから遠くの部位にあるＶ溝４７間のピッチｐを狭く形成してある。
【００３１】
この第３の実施の形態によれば、入光面４１ａから近い部位にあるＶ溝４７間のピッチｐを広く、入光面４１ａから遠くの部位にあるＶ溝４７間のピッチｐを狭く形成してあるため、ＬＥＤランプ４３に近い部位では光量が多いので乱反射率を低く抑え、ＬＥＤランプ４３から遠ざかる部位では光量が少ないので乱反射率を高くしてあるので、発光面４１ｅの全面から出射する光が均一となる。
【００３２】
図７は、本発明の第４の実施の形態に係る照明装置の導光部材を示す。この導光部材４１は、白色の反射塗料により円形の複数の反射部材４１ｃを導光部材の１つの面に印刷により形成したもので、入光面４１ａから近い部位にある反射部材４１ｃ間のピッチを広く、入光面４１ａから遠くの部位にある反射部材４１ｃ間のピッチを狭く形成してある。
【００３３】
この第４の実施の形態によれば、入光面４１ａから近い部位にある反射部材４１ｃ間のピッチを広く、入光面４１ａから遠くの部位にある反射部材４１ｃ間のピッチを狭く形成してあるため、ＬＥＤランプ４３に近い部位では光量が多いので乱反射率を低く抑え、ＬＥＤランプ４３から遠ざかる部位では光量が少ないので乱反射率を高くしてあるので、発光面４１ｅの全面から出射する光が均一となる。
【００３４】
図８は、本発明の第５の実施の形態に係る照明装置の導光部材を示す。この導光部材４１は、導光部材４１の１つの面にシボ加工部４１ｄを形成したものである。
【００３５】
この第５の実施の形態によれば、入光面４１ａから入射した光は、ランダムに形成した凹凸部からなるシボ加工部４１ｄにより乱反射させられるため、出射する光の輝度むらを低減することができ、発光面４１ｅの全面から出射する光が均一となる。
【００３６】
図９は、本発明の第６の実施の形態に係る照明装置を示す。この照明装置４０は、光源として基板４４に搭載されたＬＥＤランプ４３と、ＬＥＤランプ４３の発光光を入光面４１ａから入射して内部を反射しながら進行させる導光部材４１と、導光部材１の反射面に形成された反射シート４６とを備える。導光部材４１は、入光面４１ａ側の厚さが厚く形成され、ＬＥＤランプ４３から遠くになるにしたがって導光部材４１の厚さが薄くなるように形成されている。
【００３７】
この第６の実施の形態によれば、導光部材４１の一部の側面設けられた反射シート４６によって順次導光部材４１の発光面４１ｅに向けて反射され、この反射された光が導光部材４１の発光面４１ｅからほぼ均一に出射される。
【００３８】
図１０は、本発明の第７の実施の形態に係る照明装置を示す。この照明装置４０は、広告等が表示された第１の導光部材４１Ａと、第１の導光部材４１Ａの一部を切り欠いてその部位に溝または塗料などの反射部材でロゴマーク５０を形成した第２の導光部材４１Ｂと、第１の導光部材４１Ａの光源として基板４４に搭載されたＬＥＤランプ４３ａと、第２の導光部材４１Ｂの光源として基板４４に搭載されたＬＥＤランプ４３ｂとを備える。ＬＥＤランプ４３ａの発光色は、例えば、青色とし、ＬＥＤランプ４３ｂの発光色は、例えば、赤色のように異なる発光色とする。ここで第１の導光部材４１は、第１の実施の形態に係る照明装置と同様に、光の進行方向に沿って一部の側面に、入射したＬＥＤランプ４３の光の乱反射光を発生する反射部であるＶ溝が形成され、そのＶ溝４７が形成された面上に反射シート４６が貼着されている。
【００３９】
この第７の実施の形態によれば、第１の導光部材４１Ａは、ＬＥＤランプ４３ａの発光色を青色として製品の広告等を表示させ、第２の導光部材４１Ｂは、ＬＥＤランプ４３ｂの発光色を赤色とすることにより販売者のロゴマーク５０を表示させることができるため、宣伝等の視覚的効果を高めることができる。また、季節に応じた配色によりサンプルや展示スペースを照明することができる。
【００４０】
図１１は、第８の実施の形態に係る照明装置を適用した自動販売機を示す。図１と同じ符号は、同じ部位を示しているため、詳細は省略する。この照明装置は、前述したように、導光部材と、ＬＥＤランプとからなり、導光部材にＶ溝等の光散乱部と反射部材を設けたものである。図１に示す第１の実施の形態に係る照明装置は、展示スペース３２の照明に照明装置を設けたものであるが、この実施の形態にあっては、照明装置を電照板１５Ａの広告等の背面に設ける。また、釣銭返却口１０Ａおよび商品販売口扉１２Ａに照明装置を設ける。
【００４１】
この第８の実施の形態によれば、広告等の背面から照明することができるため、主扉３の前面側に配置することができ、広告等が見やすくなる。また、釣銭返却口１０Ａに照明装置を設けたものは、図示しない釣銭返却ボタンを押したときに、図示しない制御部から送出される釣銭発生信号に同期して照明装置のＬＥＤランプを点灯させることにより、釣銭返却口１０Ａを照明することができるため、釣銭の一部の取り忘れを防止することができる。また、商品販売口扉１２Ａに照明装置を設けたものは、商品選択ボタンを押した後、図示しない制御部から送出される商品排出信号に同期して照明装置のＬＥＤランプを点灯させて商品販売口を照明するため、商品販売口１２に商品が搬送されてきたときに、商品を容易に認識することができる。
【００４２】
なお、導光部材としては、前述のガラス、アクリル板以外の透明または半透明の材質からなるのものでもよい。また、溝の形状は、Ｖ溝として三角形状の溝として説明したが、ノコギリ波形状あるいは正弦波等の波形状であってもよい。また、円形の複数の反射部材により反射部を形成する場合は、円形の反射部材の面積を変えることにより入光面からの距離に応じて反射して出射する光量を均一となるようにしてもよい。
【００４３】
また、ＬＥＤランプの発光色は、白色の他、赤色、青色、緑色等いずれのものも使用することができる。また、１つのＬＥＤランプに、赤色系ＬＥＤ素子，緑色系ＬＥＤ素子および青色系ＬＥＤ素子等の異なる色のＬＥＤ素子を設けてもよい。ＬＥＤランプに限らず、チップ状のものであってもよい。
【図面の簡単な説明】
【００４４】
【図１】本発明の第１の実施の形態に係る照明装置を適用した自動販売機を示す図である。
【図２】本発明の第１の実施の形態に係る照明装置の正面図を示す図である。
【図３】図２のＡ−Ａ線に沿う断面図である。
【図４】本発明の第１の実施の形態に係る照明装置の分解斜視図である。
【図５】本発明の第２の実施の形態に係る照明装置の一部を示す図である。
【図６】本発明の第３の実施の形態に係る照明装置の導光部材を示す図である。
【図７】本発明の第３の実施の形態に係る照明装置の導光部材を示す図である。
【図８】本発明の第５の実施の形態に係る照明装置の導光部材を示す図である。
【図９】本発明の第６の実施の形態に係る照明装置を示す図である。
【図１０】本発明の第７の実施の形態に係る照明装置を示す図である。
【図１１】本発明の第８の実施の形態に係る照明装置を適用した自動販売機を示す図である。
【図１２】従来の自動販売機の一例を示す図である。
【符号の説明】
【００４５】
１  自動販売機
２  自動販売機本体
３  主扉
４  サンプル
５  サブパネル
６  選択ボタン
７  紙幣挿入口
７Ａ  料金投入口
８  硬貨投入口
９  返却レバー
１０  釣銭返却口
１０Ａ  釣銭返却口
１１  表示器
１２  商品販売口
１２Ａ  商品販売口扉
１３  ドアロック
１５  電照板
１５Ａ  電照板
１６  サンプル台
３１  透明パネル
３２  展示スペース
３３  サンプル台
３４  蛍光灯
３５  反射カバー
４０  照明装置
４１  導光部材
４１Ａ  第１の導光部材
４１Ｂ  第２の導光部材
４１ａ  入光面
４１ｂ  曲面部
４１ｃ  反射部材
４１ｄ  シボ加工部
４２  ＬＥＤケース
４３  ＬＥＤランプ
４３ａ  ＬＥＤランプ
４３ｂ  ＬＥＤランプ
４４  基板
４５  リード
４６  反射シート
４７  溝
４７ａ  斜面
５０  ロゴマーク
【図１】
2005142032.tif 000003
【図２】
2005142032.tif 000004
【図３】
2005142032.tif 000005
【図４】
2005142032.tif 000006
【図５】
2005142032.tif 000007
【図６】
2005142032.tif 000008
【図７】
2005142032.tif 000009
【図８】
2005142032.tif 000010
【図９】
2005142032.tif 000011
【図１０】
2005142032.tif 000012
【図１１】
2005142032.tif 000013
【図１２】
2005142032.tif 000014